(57)【要約】【課題】ピストルまたはライフルとして兼用されること。【解決手段】組立基本体３４と、照準器ユニット５０とを具備している。組立基本体３４は、光弾であるビームを発射する発光器４０と、発光器４０が光弾を発射するタイミングを定めるトリガーユニット１とを備えている。照準器ユニット５０は、その光弾のねらいを定める照準線を定める。照準器ユニット５０は、集合であり、ピストル用照準器ユニット５０−１と、ピストル用照準器ユニット５０−１より長いライフル用照準器ユニット５０−２とを含んでいる。本発明による光銃は、ピストル用照準器ユニット５０−１が取り付けられてピストルとして用いられ、ライフル用照準器ユニット５０−２が取り付けられてライフルとして用いられることができる。【選択図】図１
2004012052.tif 000002
【特許請求の範囲】
【請求項１】
光弾であるビームを発射する発光器と前記発光器が前記光弾を発射するタイミングを定めるトリガーユニットとを備える本体と、
前記光弾のねらいを定める照準線を定める照準器ユニットとを具備し、
前記本体は、第１取り付け面を有し、
前記照準器ユニットは、第２取り付け面を有し、前記第２取り付け面が前記第１取り付け面に接合して前記本体に着脱可能に取りつけられる
光銃。
【請求項２】
請求項１において、
前記照準器ユニットは、集合であり、ピストル用照準器ユニットと、前記ピストル用照準器ユニットより長いライフル用照準器ユニットとを含む
光銃。
【請求項３】
請求項２において、
前記ライフル用照準器ユニットは、前記光弾の進行方向の前方側に前記光弾の標的から出力される信号を受信する受光器を備える
光銃。
【請求項４】
請求項１〜請求項３のいずれかにおいて、
前記本体は、
前記トリガーユニットに支持される第１軸と、
前記第１軸に回転自在に支持される能動レバーと、
指掛かり面を有するトリガーブレードとを更に備え、
前記トリガーブレードは、前記能動レバーに位置変位自在に取り付けられている
光銃。
【請求項５】
請求項４において、
前記能動レバーは、
前記第１軸に回転自在に支持される第１能動レバーと、
前記第１能動レバーに対して１方向に平行移動自在に取り付けられている第２能動レバーとを備え、
前記トリガーブレードは、前記第２能動レバーに取り付けられている
光銃。
【請求項６】
請求項５において、
前記第２能動レバーは、
前記第１能動レバーに回転自在に取り付けられている固定側第２能動レバーと、
前記トリガーブレードが取り付けられている非固定側第２能動レバーとを備え、
前記固定側第２能動レバーは、第１面を有し、
前記非固定側第２能動レバーは、互いに非平行である２つの第２面を有し、前記第２面が前記第１面に接合して前記固定側第２能動レバーに対して回転的に２位置で変位する
光銃。
【請求項７】
請求項５において、
前記第２能動レバーは、集合であり、ピストル用第２能動レバーとライフル用第２能動レバーとを含み、
前記指掛かり面は、前記ピストル用第２能動レバーが用いられるときと前記ライフル用第２能動レバーが用いられるときとで、前記第１能動レバーに対する位置が異なる
光銃。
【請求項８】
請求項６または請求項７のいずれかにおいて、
前記トリガーブレードは、前記第２能動レバーに対して１方向に平行移動可能に取り付けられる
光銃。
【請求項９】
請求項１〜請求項８のいずれかにおいて、
前記本体に着脱可能に取り付けられるグリップを更に具備し、
前記グリップは、集合であり、ピストル用グリップと、ライフル用グリップとを含む
光銃。
【請求項１０】
請求項９において、
前記ピストル用グリップは、
ピストル用グリップ本体と、
前記ピストル用グリップ本体と前記本体とを支持するアダプタとを備える
光銃。
【請求項１１】
光弾であるビームを発射する発光器部と前記発光器部が前記光弾を発射するタイミングを定めるトリガーユニット部とを備える本体を具え、
前記本体は、
前記トリガーユニット部に支持される第１軸と、
前記第１軸に回転自在に支持される能動レバーと、
指掛かり面を有するトリガーブレードとを更に備え、
前記トリガーブレードは、前記能動レバーに位置変位自在に取り付けられ、
前記能動レバーは、
前記第１軸に回転自在に支持される第１能動レバーと、
前記第１能動レバーに対して１方向に平行移動自在に取り付けられている第２能動レバーとを備え、
前記トリガーブレードは、前記第２能動レバーに取り付けられ、
前記第２能動レバーは、
前記第１能動レバーに回転自在に取り付けられている固定側第２能動レバーと、
前記トリガーブレードが取り付けられている非固定側第２能動レバーとを備え、
前記固定側第２能動レバーは、第１面を有し、
前記非固定側第２能動レバーは、互いに非平行である２つの第２面を有し、前記第２面が前記第１面に接合して前記固定側第２能動レバーに対して回転的に２位置で変位する光銃に適用される引き金であり、
前記第１能動レバーと
前記第２能動レバー
とを具備する引き金。
【請求項１２】
光弾であるビームを発射する発光器部と前記発光器部が前記光弾を発射するタイミングを定めるトリガーユニット部とを備える本体を具え、
前記本体は、
前記トリガーユニット部に支持される第１軸と、
前記第１軸に回転自在に支持される能動レバーと、
指掛かり面を有するトリガーブレードとを更に備え、
前記トリガーブレードは、前記能動レバーに位置変位自在に取り付けられ、
前記能動レバーは、
前記第１軸に回転自在に支持される第１能動レバーと、
前記第１能動レバーに対して１方向に平行移動自在に取り付けられている第２能動レバーとを備え、
前記トリガーブレードは、前記第２能動レバーに取り付けられ、
前記第２能動レバーは、集合であり、第１光銃用第２能動レバーと第２光銃用第２能動レバーとを含み、
前記指掛かり面は、前記第１光銃用第２能動レバーが用いられるときと前記第２光銃用第２能動レバーが用いられるときとで、前記第１能動レバーに対する位置が異なる光銃に適用される引き金セットであり、
前記第１能動レバーと、
前記第１光銃用第２能動レバーと、
前記第２光銃用第２能動レバー
とを具備する引き金セット。
【発明の詳細な説明】
【０００１】
【発明の属する技術分野】
本発明は、光銃に関し、特に、光弾を発射する光銃に関する。
【０００２】
【従来の技術】
射撃は、夏期オリンピックの競技種目の一つである。射撃には、ピストルとライフルの２種目がある。警官の射撃訓練の延長である競技の存在は、射撃訓練を有効に促進する。競技と訓練で用いられる銃は、実弾を発射する。実弾使用は、費用と安全性の点で好ましくなく、実弾に代えられて光弾（例示：短いレーザー光ビーム）が用いられることが望ましい。実弾銃から光弾銃に替える場合に、トリガーの改変が求められる。
【０００３】
図２０は、実弾銃のトリガー例を示している。図２０は、実弾銃から砲身が除かれた銃部分であるトリガー装置を示している。そのトリガー装置は、グリップ部分１０１とトリガー系固定部分１０２とから構成されている。トリガー系固定部分１０２の底面側部位に配置される基軸１０３に回転自在にトリガー能動部分１０４が取り付けられている。トリガー能動部分１０４は、基軸１０３に回転自在に結合するトリガーピン（トリガーレバー）１０５と、トリガーピン１０５に取り付けられているトリガーブレード１０６とから形成されている。トリガー受動部分１０７は、トリガー能動部分１０４に連動して回転動作する。トリガー受動部分１０７は、トリガーピン１０５に同体に且つ同軸に回転する第１受動レバー１０８と、第１受動レバー１０８に非同体に連動する第２受動レバー１０９と、第２受動レバー１０９に非同体に連動する第３受動レバー１１０とから構成されている。第２受動レバー１０９と第３受動レバー１１０とは、互いに異なる回転軸に回転自在に支持されている。射手がトリガーブレード１０６を引くと、第３受動レバー１１０と第２受動レバー１０９のそれぞれの局所的部位の上死点的相対的微小角度回転変位に基づいて、第３受動レバー１１０が微小角度で回転変位し、第３受動レバー１１０により制止されていた撃鉄１１２は、その制止を解かれバネ力を受け瞬時的に発進し、撃鉄１１２の激突による火薬の爆発に基づいて弾丸が発射させられる。実弾を発射する銃は、このようなトリガー装置、グリップ１０１および実弾が通過する砲身が一体的に製造されて強度が高められ、トリガーの衝撃、火薬の爆発、弾丸の発射の反動に耐えることができる。
【０００４】
図２１は、光銃の１つでのタイプであるピストルタイプを示している。ピストルタイプの光銃は、木材のグリップ２０１と、グリップ２０１に取り付けられて支持されている砲身２０２と、グリップ２０１と砲身２０２との間の接合領域に配置されているトリガー（引き金）２０３と、引き金戻しのレバーであるコッキングレバー２０４と、砲身の先頭位置に配置される前方側視準器（フロントサイト）２０５と、後方側視準器２０６とから構成されている。
【０００５】
ピストルを片手で持ちその腕を延ばして腕の揺れを制止し、視準器２０５，２０６の十字線に射手の視準線を合わして、トリガー２０３を１本の指で引くことにより、突然に、光弾が発射される。引き金２０３は、引き動作の際に程度の適正な反作用を射手の指に与える。引き動作の際の反作用力が弱過ぎる場合には、引き金動作と光弾発射の時間的対応が不明確であり、不用意に光弾が発射されて危険である。引き動作の際の反作用力が強過ぎる場合には、その引き金動作の際に砲身が位置振れして、光弾は視準器の視準線に一致していた標的に当たらない。このような引き金の動作とその反作用力の生成は、実弾銃と光弾銃との間で本質的な相違はない。
【０００６】
射撃手の指、腕（ピストルの場合）、又は、肩（ライフルの場合）には、トリガーの瞬間的な力学的変位力に対応する反作用力が作用する。このような反作用力の存在は、射撃訓練の必要性の原因であり、競技性の存在の原因である。
【０００７】
実弾が発射されず光弾の反作用力が実質的に存在しない光銃には、独自のトリガー装置の提供が求められる。競技用としてその装置系の簡素化が望まれる。光銃は、さらに、安価に製造されることが望まれている。
【０００８】
【発明が解決しようとする課題】
本発明の課題は、着脱可能に組み立てられる部品により、光弾のねらいと照準線とが位置決めされる光銃を提供することにある。
本発明の他の課題は、ピストルまたはライフルとして兼用される光銃を提供することにある。
本発明のさらに他の課題は、生産コストをより低減する光銃を提供することにある。
本発明のさらに他の課題は、ピストルまたはライフルの切換が容易である光銃を提供することにある。
【０００９】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【００１０】
本発明による光銃は、本体（３４）と、照準器ユニット（５０−１、５０−２）とを具備している。本体（３４）は、光弾であるビームを発射する発光器（４０）と、発光器（４０）が光弾を発射するタイミングを定めるトリガーユニット（１）とを備えている。照準器ユニット（５０−１、５０−２）は、その光弾のねらいを定める照準線を定める。本体（３４）は、第１取り付け面（７１）を有している。照準器ユニット（５０−１、５０−２）は、第２取り付け面（７２）を有している。照準器ユニット（５０−１、５０−２）は、第１取り付け面（７１）が第２取り付け面（７２）に接合して本体（３４）に着脱可能に取りつけられる。
【００１１】
第１取り付け面（７１）と第２取り付け面（７２）との接合により、照準器ユニット（５０−１、５０−２）と本体（３４）とが位置決めされ、光弾のねらいと照準線とが位置決めされる。
【００１２】
照準器ユニット（５０−１、５０−２）は、集合であり、ピストル用照準器ユニット（５０−１）と、ピストル用照準器ユニット（５０−１）より長いライフル用照準器ユニット（５０−２）とを含んでいる。本発明による光銃は、ピストル用照準器ユニット（５０−１）が取り付けられてピストルとして用いられ、ライフル用照準器ユニット（５０−２）が取り付けられてライフルとして用いられることができる。本発明による光銃は、さらに、発光器（４０）と本体（３４）とがピストルとライフルとを共用されることにより、量産効果による製造コストの低減を図ることができる。
【００１３】
ライフル用照準器ユニット（５０−２）は、光弾の進行方向の前方側に光弾の標的から出力される信号を受信する受光器（４６）を備えている。受光器（４６）は、光銃がライフルとして用いられるときに、ライフルの先端に配置されていることが標的から出力される信号を受信し易く好ましい。
【００１４】
本体（３４）は、トリガーユニット（１）に支持される第１軸（２）と、第１軸（２）に回転自在に支持される能動レバー（４）と、指掛かり面（９）を有しているトリガーブレード（７）とを更に備えている。トリガーブレード（７）は、能動レバー（４）に位置変位自在に取り付けられている。指掛かり面（９）は、光銃がピストルとして用いられるときとライフルとして用いられるときとで、適正な位置が異なる。本発明による光銃は、光銃がピストルとして用いられるときとライフルとして用いられるときとで、指掛かり面（９）を適当な位置に配置することができる。
【００１５】
能動レバー（４）は、第１軸（２）に回転自在に支持される第１能動レバー（８）と、第１能動レバー（８）に対して１方向に平行移動自在に取り付けられている第２能動レバー（６）とを備えている。トリガーブレード（７）は、第２能動レバー（６）に取り付けられている。本発明による光銃は、第１能動レバー（８）に対して第２能動レバー（６）を適当に位置決めすることにより、ピストルまたはライフルとして適切に用いることができる。
【００１６】
第２能動レバー（６）は、第１能動レバー（８）に回転自在に取り付けられている固定側第２能動レバー（６−１）と、トリガーブレード（７）が取り付けられている非固定側第２能動レバー（６−２）とを備えている。固定側第２能動レバー（６−１）は、第１面を有している。非固定側第２能動レバー（６−２）は、互いに非平行である２つの第２面を有している。第２面が第１面に接合して固定側第２能動レバー（６−１）に対して回転的に２位置で変位する。本発明による光銃は、その２位置のうちの１位置に非固定側第２能動レバー（６−２）を配置してピストルとして用いられ、他の１位置に非固定側第２能動レバー（６−２）を配置してライフルとして用いられることができる。このような第２能動レバー（６）によれば、本発明による光銃は、第２能動レバー（６）を交換することなく、ピストルまたはライフルとして用いることができる。
【００１７】
第２能動レバー（６）は、集合であり、ピストル用第２能動レバー（６）とライフル用第２能動レバー（６）とを含んでいる。指掛かり面（９）は、ピストル用第２能動レバー（６）が用いられるときとライフル用第２能動レバー（６）が用いられるときとで、第１能動レバー（８）に対する位置が異なる。本発明による光銃は、ピストル用第２能動レバー（６）が取り付けられてピストルとして用いられ、ライフル用第２能動レバー（６）が取り付けられてライフルとして用いられることができる。
【００１８】
トリガーブレード（７）は、第２能動レバー（６）に対して１方向に平行移動可能に取り付けられる。このようなトリガーブレード（７）によれば、光銃は、より最適な位置に指掛かり面（９）を配置することができる。
【００１９】
本体（３４）に取り付けられるグリップ（４５）を更に具備している。グリップ（４５）は、集合であり、ピストル用グリップと、ライフル用グリップとを含んでいる。本発明による光銃は、ピストル用グリップが取り付けられてピストルとして用いられ、ライフル用グリップが取り付けられてライフルとして用いられることができる。
ピストル用グリップ（４５）は、ピストル用グリップ本体と、ピストル用グリップ本体と本体とを支持するアダプタとを備えていることが好ましい。ピストル用グリップ本体は、本発明による光銃をピストルとして使用するときに、射手により片手で握られて光銃の自重を支持している。アダプタは、撃鉄の衝突に例示されるピストル用グリップ本体と本体との接続部分に加わる負荷により、ピストル用グリップ本体と本体とが互いに外れてしまうことを防止する。
【００２０】
本発明による引き金（４）は、本発明による光銃に適用される引き金（４）であり、第１能動レバー（８）と第２能動レバー（６）とを具備していることが好ましい。
【００２１】
本発明による引き金セットは、本発明による光銃に適用される引き金セットであり、第１能動レバー（８）と第１光銃用第２能動レバー（６）と第１光銃用第２能動レバー（６）とを具備していることが好ましい。このような引き金セットは、第１光銃用第２能動レバー（６）が取り付けられて第１光銃として用いられ、第２光銃用第２能動レバー（６）が取り付けられて第１光銃と異なる第２光銃として用いられることができる。第１光銃と第２光銃としては、ピストル、ライフル、ショットガン、マシンガンが例示される。
【００２２】
【発明の実施の形態】
図に対応して、本発明による光銃の実施の形態は、トリガー系が撃鉄動作系とともに本体部分に配置されている。その本体部分は、図１に示されるように、トリガー系固定部分１を構成している。トリガー系固定部分１は、それの一部分として第１軸２を形成している。そのトリガー系３は、トリガー能動部分４とトリガー受動部分５とから構成されている。
【００２３】
トリガー能動部分４は、第１軸２に回転自在に結合する能動側第１レバー６と、能動側第１レバー６に可動的に支持されて固定されるトリガーブレード７と、能動側第１レバー６に同体に結合して同体的に回転変位する能動側第２レバー８とから形成されている。トリガーブレード７は、指掛かり面９を有している。能動側第１レバー６は、能動側第２レバー８に摺動的に変位可能であり、能動側第１レバー６と能動側第２レバー８との結合点は、第１軸２に対する回転半径が可変である。能動側第１レバー６と能動側第２レバー８との結合点の位置は、ボルト１１により固定される。
【００２４】
トリガー受動部分５は、トリガー能動部分４に非同体的に連動して回転動作する。トリガー受動部分５は、第１受動側レバー１２と、第１受動側レバー１２に非同体的に連動する第２受動側レバー１３とから構成されている。第１受動側レバー１２と第２受動側レバー１３とは、互いに異なる回転軸に回転自在に支持されている。第１受動側レバー１２は、第３軸１４に回転変位自在に支持されている。第３軸１４は、トリガー系固定部分１に固定されて設けられている。第２受動側レバー１３は、第４軸１５に回転変位自在に支持されている。第４軸１５は、トリガー系固定部分１に固定されて設けられている。能動側第２レバー８は、その局所的突起部位１０（図２参照）を介して第１受動側レバー１２に接触し、第１受動側レバー１２は非同体的に回転的に能動側第２レバー８に連動して回転する。
【００２５】
第１受動側レバー１２の動作端部と第２受動側レバー１３の動作端部のそれぞれの局所的部位の上死点的相対的微小角度回転変位に基づいて、第１受動側レバー１２が微小角度で回転変位し、第１受動側レバー１２により制止されていた第２受動側レバー１３は、その制止を解かれバネ力を受け瞬時的に回転変位する。第２受動側レバー１３は、そのもの又はそのものの一部分が回転的撃鉄を構成している。第１受動側レバー１２の動作端部の端点は第１先端点又は第１先端局所領域Ｐとして形成され、第２受動側レバー１３の動作端部の端点は第２先端点又は第２先端局所領域Ｑとして形成されている。
【００２６】
トリガー動作の始動前には、第１先端点Ｐと第２先端点Ｑとは、互いに噛み合う関係を有し、同一点又は同一点領域に存在しているが、第１受動側レバー１２と第２受動側レバー１３とが相対的に規定回転方向に微小角度で回転すれば、第１先端点Ｐと第２先端点Ｑとは、その噛み合い関係が解消されて、互いに異なる位置点に微小移動して互いに離隔する。ここで、第１受動側レバー１２のその規定回転方向は時計方向であり、第２受動側レバー１３のその規定回転方向は反時計方向である。
【００２７】
第２受動側レバー１３の反時計方向の回転を推進する推進力は、トリガーバネ１６により、第２受動側レバー１３の非動作側の一端を押す向きに作用する。このような推進力は、トリガーバネ１６の上方に（支持側に）圧力をかけるバネ力調整部材であるバネ力調整ネジ（図示されていない）により調整され、または、バネ力が異なるトリガーバネ１６の交換により調整され得る。このようなトリガーバネ力の変更は、第２受動側レバー１３が撃鉄受けストッパ１７に当たるまでの速さと強さを調整することができる。トリガーバネ１６の一端部位はトリガー系固定部分１に固着され、トリガーバネ１６の他端部位は第２受動側レバー１３の非動作側レバーの外側寄り部位に固着されている。第２受動側レバー１３の動作側レバーの動作端部が反時計回転方向に向かう位置には、撃鉄受けストッパ１７がトリガー系固定部分１に配置されて設けられている。
【００２８】
指掛かり面９に面接合する指が射手の身体側に引かれてトリガーブレード７が引き戻され、能動側第１レバー６が反時計方向に回転すれば、第１先端点Ｐと第２先端点Ｑの既述の噛み合いが解消されて、第２受動側レバー１３は、第１受動側レバー１２から受けていた回転制止力から開放され、トリガーバネ１６のバネ力に相当するトリガー力を受けて瞬時的に反時計方向に回転し、第２受動側レバー１３の動作端部が撃鉄として、トリガー系固定部分１の上方に設けられた撃鉄受けストッパ１７の下面に激突する。このように、第２受動側レバー１３は、回転的撃鉄を形成している。
【００２９】
第１受動側レバー１２には、反時計方向回転力（反トリガー力）がバイアス回転力として常時に与えられている。第１受動側レバー１２にバイアス回転力を与えるために、バイアス回転力付勢バネ１８がトリガー系固定部分１に装備されている。バイアス回転力付勢バネ１８の一端部位はトリガー系固定部分１に支持され、バイアス回転力付勢バネ１８の他端部位は第１受動側レバー１２の非動作端部１９を押すように押し力を与えて支持されている。バイアス回転力付勢バネ１８は、能動側第２レバー８の動作に反発する力を反時計方向回転力として第１受動側レバー１２に与えている。バイアス回転力付勢ばね１８のバイアス回転力の調整は、バイアス回転力付勢バネ１８の基端側を押しながらそのバネ長を変化させる部材が追加されることが好ましい。そのような部材として、トリガー系固定部分１に回転自在に支持されるハンドルに連動しバネ軸方向に直線状に運動してバイアス回転力付勢バネ１８の基端側の位置を変化させる押し棒が好適に例示される。
【００３０】
動作開始前の第１受動側レバー１２の第１先端点Ｐの初期的位置点は、初期位置調整螺子２１により位置調整される。第１受動側レバー１２の非動作端部１９は、トリガー系固定部分１にねじ込まれてトリガー系固定部分１の適正部位に配置されている。初期位置調整螺子２１を右まわりに回転させると、初期位置調整螺子２１は非動作端部１９に向かって前進し、第１受動側レバー１２は時計方向に回転する。初期位置調整螺子２１の右まわり量が一定値以上であれば、第１先端点Ｐは第２先端点Ｑから外れ、第２受動側レバー１３は第１受動側レバー１２から自由に開放される。
【００３１】
初期位置調整螺子２１を左まわりに回転させると、初期位置調整螺子２１はバイアス回転力付勢バネ１８の力を受けて非動作端部１９に対して後退し、第１受動側レバー１２は反時計方向に回転する。初期位置調整螺子２１の左まわり量がより大きい場合には、第１先端点Ｐは第２先端点Ｑより更に半径方向内側に向かって前進し、第１受動側レバー１２と第２受動側レバー１３の噛み込み量（シアー量）は更に大きくなる。初期位置調整螺子２１の正負の回転量を調整することにより、トリガーブレード７の後退力量の微妙な関係を微妙に調整することができる。トリガー能動部分４の動作力は、調整バネ２２により調整される。調整バネ２２の動作力は、初期位置調整用螺子６１が初期位置規定器６２に突き当たってトリガー動作開始前の初期位置に能動側第１レバー６を安定化させる安定化力を能動側第１レバー６に与える。トリガーバネ１６、バイアス回転力付勢バネ１８、調整バネ２２の調整部は、砲身またはグリップを取りつけた後に調整することができるように配置されていることが好ましい。そのような配置により、射手は、トリガーの感触を確かめながら調整することができる。
【００３２】
図２は、トリガー能動部分４の銃モード切替を示している。能動側第１レバー６は、基体側能動側第１レバー６−１と自由側能動側第１レバー６−２とから構成されている。能動側第２レバー８には、レール２０−１が形成され、基体側能動側第１レバー６−１には、レール２０−１に嵌め合わされる溝２０−２が形成されている。基体側能動側第１レバー６−１は、レール２０−１に案内されて摺動することができる。ボルト１１は、基体側能動側第１レバー６−１を締結して、溝２０−２をレール２０−１に摩擦接触させて、能動側第２レバー８と基体側能動側第１レバー６−１とを同体に固定する。すなわち、基体側能動側第１レバー６−１は、能動側第２レバー８のレール２０−１が形成されている任意の位置に固定することができる。基体側能動側第１レバー６−１が図２に示される位置に位置する光銃は、ピストルとして使用される。図３に示されるように、基体側能動側第１レバー６−１がピストルとして使用されるときより第１軸２から遠い位置に位置する光銃は、ライフルとして使用される。
【００３３】
自由側能動側第１レバー６−２は、切替用軸２３を介して基体側能動側第１レバー６−１に回転可能に結合している。基体側能動側第１レバー６−１には、自由側能動側第１レバー６−２に対向する第１面２４が形成されている。第１面２４としては、平面又は僅かに与えられている曲率を持つ球面が適正である。
【００３４】
自由側能動側第１レバー６−２には、基体側能動側第１レバー６−１に対向する第２面２５が形成されている。第２面２５は、第１傾斜面２５−１と第２傾斜面２５−２の複合が適正である。第１傾斜面２５−１と第２傾斜面２５−２は、既述の球面に合致する球面として形成され得る。第１傾斜面２５−１と第２傾斜面２５−２は、切替用軸２３を中心とする回転の方向に互いに離隔し、第１傾斜面２５−１は規定角度に回転して第２傾斜面２５−２に重なる。
【００３５】
自由側能動側第１レバー６−２が基体側能動側第１レバー６−１に対して無理に強力に回転させられることにより、自由側能動側第１レバー６−２は、第１傾斜面２５−１が第１面２４に接合する第１位置と第２傾斜面２５−２が第１面２４に接合する第２位回転変位することができる。自由側能動側第１レバー６−２が図２に示される第２位置に位置する光銃はピストルとして使用され、自由側能動側第１レバー６−２が図３に示される第１位置に位置する光銃はライフルとして使用される。切替用軸２３がボルトで形成され、そのボルトで自由側能動側第１レバー６−２を基体側能動側第１レバー６−１に固着されれば、第１位置と第２位置はそれぞれに安定化する。このような２位置切替は、無理矢理の回転に限られず、自由回転の後のボルト締めに代えられる。この結果、ライフルとピストルとの互いに異なる部品を製造するコストや競技者の持ち運ぶ部品数が少なくなり、利便性が向上する。
【００３６】
図４と図５は、トリガー能動部分４の他の銃モード切替を示している。図４に示される能動側第１レバー６はピストル専用タイプに形状化され、図５に示される能動側第１レバー６はライフル専用タイプに形状化されている。ピストル専用タイプの能動側第１レバー６とライフル専用タイプの能動側第１レバー６とは、それぞれにボルト１１によって着脱自在である。ライフル専用タイプの能動側第１レバー６は、それの固定的装着時に、砲身（図示されず）の軸心線（光弾のビーム方向に一致）に直交する方向に短く延びている。ピストル専用タイプの能動側第１レバー６は、それの固定的装着時に、砲身の軸心線に対して先端側（下端側）が射手の身体側に近く寄るように斜めに長く延びている。このように一体的に形成されているトリガー能動部分４は、図２と図３とに示されるトリガー能動部分４より強度が強く、ピストル用とライフル用とにもっとも適した状態で使うことができる利点がある。
【００３７】
図６は、第１軸２の中心軸心線を含み砲身の軸心線に直交する平面でトリガー系固定部分１を切断した断面図であり、トリガー系固定部分１と第１軸２との結合関係を示している。トリガー系固定部分１は、図６の断面位置では、両側壁形成筐体として形成されている。その両側壁形成筐体の両側の壁の２つの対向面の間に、第１受動側レバー１２と第２受動側レバー１３が装着されている。能動側第２レバー８は、その円筒部分が図６に現れている。第１軸２に支持されている能動側第２レバー８のその円筒部分は、トリガー系固定部分１の両側の壁の下端面として形成されている半円筒面に回転摺動的に支持されている。第１軸２は、能動側第２レバー８のその円筒部分に同軸的に圧入されて、能動側第２レバー８に同体化されている。両側壁形成筐体の両側の壁に、それぞれに、２つの玉軸受２６が嵌め込まれて固定されている。第１軸２の両端部位は、２つの玉軸受に回転自在に支持されている。能動側第２レバー８は、第１軸２と同体にトリガー系固定部分１に対して軽く回転することができる。
【００３８】
図７は、第２受動側レバー１３が撃鉄受けストッパ１７に激突した瞬間の第２受動側レバー１３と撃鉄受けストッパ１７の位置関係を示している。撃鉄受けストッパ１７は、図８に示されるように、トリガー系固定部分１の上端面側に形成される穴に嵌め込まれている。撃鉄受けストッパ１７の上端面側に、ボルト頭が入り込む２つのボルト頭嵌合穴２７が図９に示されるように形成され、その２つのボルト頭嵌合穴の底面から更に下側（第２受動側レバー１３の既述の動作端部に向かう側）に延びるねじ穴２８が形成されている。ボルト（図示されず）が２つのねじ穴２８にねじ込まれて、撃鉄受けストッパ１７はトリガー系固定部分１に強固に固着される。
【００３９】
撃鉄受けストッパ１７は、図１０に示されるように、撃鉄受けストッパ本体部分２９を構成している。撃鉄受けストッパ本体部分２９は、砲身の軸心線に直交する方向に中央部位に位置している。撃鉄受けストッパ本体部分２９は、円柱体又は四角中体に形成されている。第２受動側レバー１３の既述の動作端部の上面は、撃鉄受けストッパ本体部分２９の下端面に衝突する。
【００４０】
図１０に示される撃鉄受けストッパ本体部分２９の長さａが調整自在であるように、削ることが可能であり、または、撃鉄受けストッパ１７は複数通りが製作されて用意されている。トリガー系固定部分１に対して着脱自在である撃鉄受けストッパ１７を取り換えてトリガー系固定部分１に装着することにより、第２受動側レバー１３の動作端部の衝突面と撃鉄受けストッパ本体部分２９の下端面である衝突面との間の初期的距離（トリガー動作開始前の距離）が調整され得る。その長さａを調整することにより、トリガー動作時の衝撃力の大きさと衝撃音の大きさを調整することができる。撃鉄受けストッパ１７は、撃鉄受けストッパ本体部分２９と頭部３０とを形成し、頭部３０の下端面（頭部３０を支持するトリガー系固定部分１の支持面に直接に接合する支持面）は、撃鉄受けストッパ本体部分２９の下端面（撃鉄を受ける面）を位置決めする。
【００４１】
図１１は、トリガー系固定部分１を用いる組立方法を示している。トリガー系固定部分１は、基本ユニットとして組立体を構成する。基本ユニット１には、砲身ユニット３１が取り付けられて組立られる。基本ユニット１の前方領域には複数の第１結合穴３２が配置されて開けられている。砲身ユニット３１の後方領域には複数の第２結合穴３３が配置されて開けられている。第１結合穴３２と第２結合穴３３が位置的に一致するまで、砲身ユニット３１の後方部分が基本ユニット１の前方部分に対して嵌まり込む。第１結合穴３２と第２結合穴３３のうちのいずれかはねじ穴である。第１結合穴３２と第２結合穴３３にねじが通されてねじ込まれて、砲身ユニット３１は基本ユニット１に結合する。
【００４２】
図１２は、基本ユニット１と砲身ユニット３１とが結合して組立られた組立基本体３４を示している。組立基本体３４は、ライフルとピストルとのために共用される。組立基本体３４の前方領域即ち砲身ユニット３１の前方領域には、第１取り付け面７１が設けられ、複数の第３結合穴３５が配置されて開けられている。
【００４３】
図１３は、ピストル用フロントサイト３６を示している。ピストル用フロントサイト３６は、ライフル用照準器ユニット５０−２としてピストルを構成する部品である。ピストル用フロントサイト３６の後方領域には、第２取り付け面７２が設けられ、複数の第４結合穴３７が配置されて開けられている。第３結合穴３５と第４結合穴３７が位置的に一致するまで、ピストル用フロントサイト３６の後方部分が組立基本体３４（又は砲身ユニット３１）の前方部分に対して嵌まり込む。第３結合穴３５と第４結合穴３７のうちのいずれかはねじ穴である。第３結合穴３５と第４結合穴３７にねじが通されてねじ込まれて、第２取り付け面７２と組立基本体３４の第１取り付け面７１とが接合されてピストル用フロントサイト３６は組立基本体３４に結合する。
【００４４】
図１４は、組立基本体３４とピストル用フロントサイト３６とが結合して組立られたピストルを示している（更に化粧体が付加されている。）。組立基本体３４には、光弾を発射する赤外線発光器４０が設けられている。光弾は、赤外線により形成される赤外線デジタル信号であり、その赤外線デジタル信号は、その光弾が発射された光銃を識別する。組立基本体３４には、さらに、赤外線受光器４６が前方領域に位置されて設けられている。赤外線受光器４６は、標的側から放射される赤外線デジタル信号を受信する。その赤外線デジタル信号は、標的と光銃との対応のための信号である。組立基本体３４には、さらに、図示されていない衝撃音センサーを備えている。その衝撃音センサーは、第２受動側レバー１３の上面が撃鉄受けストッパ本体部分２９の下端面に衝突する衝突音を感知して、赤外線発光器４０に光弾を発射させる。
【００４５】
なお、赤外線発光器４０は、レーザビームを発射するレーザに置換することができる。赤外線発光器４０は、さらに、拡散しながら進行する光弾、すなわち、発射元を頂点とする円錐を形成しながら進行する光弾を発射する発光器に置換することができる。このとき、組み立てられた光銃は、ショットガン（散弾銃）を模擬することができる。赤外線発光器４０は、さらに、引き金が引かれている間に複数の光弾を繰り返して発射する発光器に置換することができる。このとき、組み立てられた光銃は、マシンガン（機関銃）を模擬することができる。さらに、光弾は、デジタル信号からアナログ信号に置換することもできる。
【００４６】
図１５は、ライフル用延長砲身３８を示している。ライフル用延長砲身３８の後方領域には、第２取り付け面７２が設けられ、複数の第５結合穴３９が配置されて開けられている。第５結合穴３９と組立基本体３４の第３結合穴３５が位置的に一致するまで、ライフル用延長砲身３８の後方部分が組立基本体３４の前方部分に対して嵌まり込む。第５結合穴３９と第３結合穴３５のうちのいずれかはねじ穴である。第５結合穴３９と第３結合穴３５にねじが通されてねじ込まれて、第２取り付け面７２と組立基本体３４の第１取り付け面７１とが接合されてライフル用延長砲身３８は組立基本体３４に同体に結合する。
【００４７】
図１６は、ライフル用フロントサイト４１を示している。ライフル用延長砲身３８の前方領域には、第６結合穴４２が配置されて開けられている。ライフル用フロントサイト４１の後方領域には、複数の第７結合穴４３が配置されて開けられている。第７結合穴４３とライフル用延長砲身３８の第６結合穴４２が位置的に一致するまで、ライフル用フロントサイト４１の後方部分がライフル用延長砲身３８の前方部分に対して嵌まり込む。第７結合穴４３と第６結合穴４２のうちのいずれかはねじ穴である。第７結合穴４３と第６結合穴４２にねじが通されてねじ込まれて、ライフル用フロントサイト４１はライフル用延長砲身３８に結合する。
【００４８】
図１７は、ライフル用フロントサイト４１とライフル用延長砲身３８とが組立基本体３４に結合して組立られたライフルを示している。そのライフルは、更に化粧体４４とグリップ４５とが付加されている。。
【００４９】
図１８は、ライフル用フロントサイト４１とライフル用延長砲身３８とが結合して組立られたライフル用照準器ユニット５０−２を示している。ライフル用延長砲身３８には、赤外線受光器４６が、前方領域に位置されて設けられている。
【００５０】
図１９は、各部位の材料を示している。
本体１：Ａｌ
能動側第１レバー６：ＳＵＭ２４Ｌ
トリガーブレード７：Ａｌ
能動側第２レバー８：Ａｌ
第１受動側レバー１２：ＳＫＤ４
第２受動側レバー１３：ＳＫＤ４
撃鉄受けストッパ１７：ＳＫＤ４
【００５１】
本体は、軽量化のために軽い金属（例示：Ａｌ）が好適であり、互いに摩擦接触して滑動し摺動する第１受動側レバー１２と第２受動側レバー１３とは、硬くて同じ材料であることが好ましく、合金工具鋼のＳＫＤ４が好適である。互いに激突する第２受動側レバー１３と撃鉄受けストッパ１７は、硬くて同じ材料であることが好ましく、ＳＫＤ４が好適である。ＳＫＤ４は、加工性と焼き入れ処理性の点で優れ、焼き入れ後の硬さの点で最適である。能動側第１レバー６の材料としては、強度と加工性の点で優れているＳＵＭ２４が好適である。
【００５２】
図１９に示される部品５１は、本体に設けられている案内溝５２の前方から後方に水平方向に案内されて動作後に人為的に引き戻される戻し器である。後退する部品５１は、第１受動側レバー１２から離脱している第２受動側レバー１３の膨らみ部分５３を時計方向に押し下げて回転させる。時計方向に回転する第２受動側レバー１３の動作端部は、第１受動側レバー１２に接触して、第１受動側レバー１２の動作端部を時計方向に回転させる。戻し器は、解点滴に動作するように改変される。この場合には、回転する戻し器は、第２受動側レバー１３の膨らみ部分５３を時計方向に押し下げて回転させることになる。
第１受動側レバー１２を反時計方向に回転させるバネ作用と第２受動側レバー１３を反時計方向に回転させるバネ作用とにより、第１受動側レバー１２は第２受動側レバー１３に規定されり位置で噛み合う。膨らみ部分５３に穴５４を開けることは重要である。第２受動側レバー１３が軽くなり、銃や引き戻し操作なども容易になる。さらに衝撃も弱くなるが、振動は確実に砲身ユニット３１に引き金が引かれたことが伝わり、砲身ユニット３１の衝撃音センサーが感知して光弾が発射される。
【００５３】
本発明による光銃は、撃鉄を回転化してトリガー系の構造を簡素化し、発射までのトリガー動作を改善することができ、且つ、実弾銃の撃鉄を削除することにより、軽量化を実現することができる。
【００５４】
【発明の効果】
本発明による光銃は、複数部品により着脱可能に組み立てられ、光弾のねらいと照準線とが適正に位置決めされることができる。この結果、本発明による光銃は、ピストルまたはライフルとして兼用されることができる。
【図面の簡単な説明】
【図１】図１は、本発明による光銃のトリガーユニットの実施の形態を示す正面断面図である。
【図２】図２は、図１の一部の状態を示す正面図である。
【図３】図３は、図１の一部の他の状態を示す正面図である。
【図４】図４は、図１の一部の実施の他の形態の更に他の状態を示す正面図である。
【図５】図５は、図１の一部の実施の他の形態の更に他の状態を示す正面図である。
【図６】図６は、図１の一部を示す側面断面図である。
【図７】図７は、本発明による光銃のトリガーユニットの他の状態を示す正面断面図である。
【図８】図８は、図７の平面図である。
【図９】図９は、図７の一部の部品を示す平面図である。
【図１０】図１０は、図９の正面図である。
【図１１】図１１（ａ），（ｂ）は、２つの砲身ユニットをそれぞれに示す正面図である。
【図１２】図１２は、砲身ユニットの組立を示す正面図である。
【図１３】図１３は、部品を示す正面図である。
【図１４】図１４は、他の組立を示す正面断面図である。
【図１５】図１５は、他の砲身ユニットを示す正面図である。
【図１６】図１６は、他の部品を示す正面図である。
【図１７】図１７は、光銃の組立を示す正面図である。
【図１８】図１８は、ライフル用照準器ユニットを示す正面図である。
【図１９】図１９は、各部分の材料の指定を示す正面図である。
【図２０】図２０は、公知のピストルの実施の形態を示す断面図である。
【図２１】図２１は、公知の光銃の実施の形態を示す正面図である。
【符号の説明】
１　：トリガー系固定部分
２　：第１軸
３　：トリガー系
４　：トリガー能動部分
５　：トリガー受動部分
６　：能動側第１レバー
７　：トリガーブレード
８　：能動側第２レバー
９　：指掛かり面
１０：局所的突起部位
１１：第２軸
１２：第１受動側レバー
１３：第２受動側レバー
１４：第３軸
１５：第４軸
１６：トリガーバネ
１７：撃鉄受けストッパ
１８：バイアス回転力付勢バネ
１９：非動作端部
２０−１：レール
２０−２：溝
２１：初期位置調整螺子
２２：調整バネ
２３：切替用軸
２４：第１面
２５：第２面
２６：玉軸受
２７：ボルト頭嵌合穴
２８：ねじ穴
２９：撃鉄受けストッパ本体部分
３０：頭部
３１：砲身ユニット
３２：第１結合穴
３３：第２結合穴
３４：組立基本体
３５：第３結合穴
３６：ピストル用フロントサイト
３７：第４結合穴
３８：ライフル用延長砲身
３９：第５結合穴
４０：赤外線発光器
４１：ライフル用フロントサイト
４２：第６結合穴
４３：第７結合穴
４４：化粧体
４５：グリップ
４６：赤外線受光器
５０−１：ピストル用照準器ユニット
５０−２：ライフル用照準器ユニット
５１：部品
５２：案内溝
５３：膨らみ部分
５４：穴
６１：初期位置調整用螺子
６２：初期位置規定器
７１：第１取り付け面
７２：第２取り付け面
【図１】
2004012052.tif 000003
【図２】
2004012052.tif 000004
【図３】
2004012052.tif 000005
【図４】
2004012052.tif 000006
【図５】
2004012052.tif 000007
【図６】
2004012052.tif 000008
【図７】
2004012052.tif 000009
【図８】
2004012052.tif 000010
【図９】
2004012052.tif 000011
【図１０】
2004012052.tif 000012
【図１１】
2004012052.tif 000013
【図１２】
2004012052.tif 000014
【図１３】
2004012052.tif 000015
【図１４】
2004012052.tif 000016
【図１５】
2004012052.tif 000017
【図１６】
2004012052.tif 000018
【図１７】
2004012052.tif 000019
【図１８】
2004012052.tif 000020
【図１９】
2004012052.tif 000021
【図２０】
2004012052.tif 000022
【図２１】
2004012052.tif 000023